(57)【要約】【課題】ＨＤＭＩケーブルで接続されたテレビジョン受信装置の受信チャンネルに合わせて所定時間分のデータを常時録画する常時録画機能の使い勝手の向上を図る。【解決手段】制御部１は、常時録画中、テレビジョン受信装置３０の受信チャンネルが第１チャンネルから他のチャンネルに切り換わったときの当該第１チャンネルの受信データがＣＭデータである場合には、テレビジョン受信装置３０のチャンネル切り換えに追随することなくそれまでの第１チャンネルの受信データを継続して常時録画し、予め設定された一定時間が経過してもテレビジョン受信装置３０の受信チャンネルが第１チャンネルに戻らなかった場合には、その時点で常時録画のチャンネルをテレビジョン受信装置３０が受信しているチャンネルに切り換える。【選択図】図１
2009044275.tif 000002
【特許請求の範囲】
【請求項１】
外部接続端子に接続されたテレビジョン受信装置の動作状態を取得可能なインターフェース回路を備え、前記テレビジョン受信装置の受信チャンネルに合わせて所定時間分のデータを常時録画する常時録画機能を備えた情報記録再生装置において、
前記常時録画を実行する録画制御手段は、前記テレビジョン受信装置の電源がオンされたことを検出すると自装置の電源をオンして常時録画を開始し、この常時録画中、前記テレビジョン受信装置の受信チャンネルが第１チャンネルから他のチャンネルに切り換わった場合にはこれに合わせて録画チャンネルを切り換えて常時録画を継続し、前記テレビジョン受信装置の電源がオフされたことを検出すると自装置の電源をオフすることを特徴とする情報記録再生装置。
【請求項２】
前記録画制御手段は、常時録画中、前記テレビジョン受信装置の受信チャンネルが第１チャンネルから他のチャンネルに切り換わったときの当該第１チャンネルの受信データがＣＭデータである場合には、前記テレビジョン受信装置のチャンネル切り換えに追随することなくそれまでの第１チャンネルの受信データを継続して常時録画し、予め設定された一定時間が経過しても前記テレビジョン受信装置の受信チャンネルが前記第１チャンネルに戻らなかった場合には、その時点で常時録画のチャンネルを前記テレビジョン受信装置が受信しているチャンネルに切り換えることを特徴とする請求項１に記載の情報記録再生装置。
【請求項３】
前記一定時間は、１回のＣＭの連続放送時間より若干長い時間に設定されていることを特徴とする請求項１または請求項２に記載の情報記録再生装置。
【請求項４】
前記録画制御手段は、常時録画中、前記テレビジョン受信装置の受信チャンネルが第１チャンネルから他のチャンネルに切り換わったときの当該第１チャンネルの受信データがＣＭデータである場合には、前記テレビジョン受信装置のチャンネル切り換えに追随することなくそれまでの第１チャンネルの受信データを継続して常時録画し、前記ＣＭデータの受信終了後、予め設定された一定時間が経過しても前記テレビジョン受信装置の受信チャンネルが前記第１チャンネルに戻らなかった場合には、その時点で常時録画のチャンネルを前記テレビジョン受信装置が受信しているチャンネルに切り換えることを特徴とする請求項１に記載の情報記録再生装置。
【請求項５】
前記インターフェース回路が、ＨＤＭＩ（High Definition Multimedia Interface）対応のインターフェース回路であり、前記外部接続端子がＨＤＭＩ端子であることを特徴とする請求項１ないし請求項４のいずれか１項に記載の情報記録再生装置。
【発明の詳細な説明】
【技術分野】
【０００１】
本発明は、ＨＤＭＩ（High Definition Multimedia Interface）規格に準拠したデジタルビデオ信号の入出力端子であるＨＤＭＩ端子を有し、ＨＤＭＩ規格に準拠したテレビジョン受信装置にＨＤＭＩケーブルを介して接続可能な情報記録再生装置に係り、より詳細には、テレビジョン受信装置の受信チャンネルに合わせて所定時間分のデータを常時録画する常時録画機能を備えた情報記録再生装置に関する。
【背景技術】
【０００２】
テレビ番組等の映像を含んだ放送データを記録（録画）して再生する情報記録再生装置には、例えばハードディスクレコーダのように、テレビジョン受信装置の受信チャンネルに合わせて所定時間分のデータを常時録画する常時録画機能を備えたものがある。そして、この常時録画機能を利用して、ハードディスクの所定の記録領域に一時的に録画したデータを読み込み、最大で上記所定時間まで遡って再生するタイムシフト機能が実現されている。
【０００３】
ところで、このような情報記録再生装置によって常時録画機能及びタイムシフト機能を実現するためには、接続されるテレビジョン受信装置との連動性を考慮する必要があり、この連動性を考慮して、ユーザの利便性を図った装置が開示されている（例えば、特許文献１参照）。
【０００４】
特許文献１記載の装置は、ユーザがリモコンによりパワーオンを指示すると、システム電源が起動し、これを受けてパワーオンリセットパルス発生回路がリセットパルス信号を出力してマイコンへ入力する。リセットパルス信号を受けたマイコンは、前回のパワーオフする前のラストチャンネル状態を再現し、その選局番組を同時録画再生回路へ入力するとともに、録画開始コマンドを同時録画再生回路へ入力し、同時録画再生回路でその選局番組の常時録画を開始させるようになっている。すなわち、ユーザがテレビジョン受信装置のリモコンを操作するだけで、常時録画を開始できるようになっている。
【０００５】
しかし、特許文献１記載の装置は、情報記録再生装置がテレビジョン受信装置に一体的に組み込まれた構造のものであり、このように一体化することによってコマンドの受け渡しが容易となり、テレビジョン受信装置のリモコンを操作するだけで、常時録画を開始させることが可能である。
【特許文献１】特開２００４−３２１２６号公報
【発明の開示】
【発明が解決しようとする課題】
【０００６】
しかし、情報記録再生装置を信号ケーブルを用いてテレビジョン受信装置の外部入力端子に接続したような場合には、情報記録再生装置とテレビジョン受信装置との間で上記コマンドの受け渡しを容易に行うことができず、このような接続構造では、テレビジョン受信装置の電源をオンした後、情報記録再生装置の電源をオンして、常時録画機能を起動させる必要があり、ユーザにとって手間のかかるものであった。
【０００７】
また、従来の常時録画機能では、常時録画中、テレビジョン受信装置の受信チャンネルが他のチャンネルに切り換わると、これに合わせて常時録画のチャンネルも他のチャンネルに切り換えて継続するようになっている。この場合、例えばユーザは、現在視聴している番組がＣＭ（コマーシャル）に入ると、その間だけ他のチャンネルに切り換え、その後、ＣＭが終了したであろう時間にまた元のチャンネルに戻す、といった操作をよく行うものである。そして、元のチャンネルに戻したとき、すでにＣＭが終了して番組の続きが始まっていた場合には、ＣＭ後の番組の最初の部分を見逃してしまうことになる。この場合、従来の常時録画機能では、ユーザのチャンネル切り換えに応じた番組を録画しているため、これを巻き戻して再生しても、結局は見逃した番組部分を再生することができず、常時録画機能が十分に生かされていない、つまりユーザの使い勝手を考慮した常時録画になっていないといった問題があった。
【０００８】
ところで、近年、液晶パネル製造技術の進歩によって、ＤＶＤレコーダやハードディスク（ＨＤ）内蔵型ＤＶＤレコーダなどの情報記録再生装置に用いるテレビジョン受信装置の表示画面の高精細化が進んでおり、このようなテレビジョン受信装置や情報記録再生装置では、非常に多くのビデオデータ及びオーディオデータを送受信するため、ＨＤＭＩ（High Definition Multimedia Interface）対応のインターフェース回路が用いられている。
【０００９】
ＨＤＭＩは、ＤＶＤレコーダやＨＤ内蔵型ＤＶＤレコーダなどの送信機器側とテレビジョン受信装置やプロジェクタなどの受信機器側との間でビデオデータ及びオーディオデータを含む各種データを送受信するためのインターフェースであり、ＨＤＭＩのＣＥＣ制御機能により、例えばテレビジョン受信装置等の電源をオンすると情報記録再生装置の電源をオンさせるといった操作が可能である。
【００１０】
本発明は、このＨＤＭＩ規格のＣＥＣ制御機能に着目して上記問題点を解決すべく創案されたもので、その目的は、ＨＤＭＩケーブルで接続されたテレビジョン受信装置の受信チャンネルに合わせて所定時間分のデータを常時録画する常時録画機能の使い勝手の向上を図った情報記録再生装置を提供することにある。
【課題を解決するための手段】
【００１１】
上記課題を解決するため、本発明の情報記録再生装置は、外部接続端子に接続されたテレビジョン受信装置の動作状態を取得可能なインターフェース回路を備え、前記テレビジョン受信装置の受信チャンネルに合わせて所定時間分のデータを常時録画する常時録画機能を備えた情報記録再生装置において、前記常時録画を実行する録画制御手段は、前記テレビジョン受信装置の電源がオンされたことを検出すると自装置の電源をオンして常時録画を開始し、この常時録画中、前記テレビジョン受信装置の受信チャンネルが第１チャンネルから他のチャンネルに切り換わった場合にはこれに合わせて録画チャンネルを切り換えて常時録画を継続し、前記テレビジョン受信装置の電源がオフされたことを検出すると自装置の電源をオフすることを特徴としている。ここで、前記インターフェース回路は、ＨＤＭＩ対応のインターフェース回路であり、前記外部接続端子は、ＨＤＭＩ端子である。
【００１２】
すなわち、ＨＤＭＩ規格のＣＥＣ制御機能では、ＨＤＭＩケーブルのＣＥＣ線を利用して各種制御データの送受信が可能であり、情報記録再生装置は、このＣＥＣ線を利用してテレビジョン受信装置の電源オン、オフやチャンネル切り換え等の情報を取得することが可能である。同様に、テレビジョン受信装置においても、情報記録再生装置の電源オン、オフや記録及び再生状態の情報を取得することが可能である。
【００１３】
従って、本発明では、このＨＤＭＩ規格のＣＥＣ制御機能を利用し、テレビジョン受信装置の電源がオンされたことを示す情報をＣＥＣ線を介して取得すると、自装置の電源をオンして常時録画を開始する。すなわち、このときのテレビジョン受信装置の受信しているチャンネル情報を当該テレビジョン受信装置からＣＥＣ線を介して取得し、その受信チャンネルに自らのチューナを合わせて常時録画を開始する。そして、この常時録画中に、テレビジョン受信装置の受信チャンネルが受信中の第１チャンネルから他のチャンネルに切り換わった場合には、これに追随して録画チャンネルを切り換えて常時録画を継続する。そして、このような常時録画を行っているときに、テレビジョン受信装置の電源がオフされたことを示す情報をＣＥＣ線を介して取得すると、自装置の電源をオフにする。これにより、本発明の情報記録再生装置によれば、テレビジョン受信装置の外部接続端子に外付けされているにも関わらず、テレビジョン受信装置の電源オンをトリガとして常時録画及び常時タイムシフトを開始することが可能となる。
【００１４】
また、本発明の情報記録再生装置によれば、録画制御手段は、常時録画中、テレビジョン受信装置の受信チャンネルが第１チャンネルから他のチャンネルに切り換わったときの当該第１チャンネルの受信データがＣＭデータである場合には、テレビジョン受信装置のチャンネル切り換えに追随することなくそれまでの第１チャンネルの受信データを継続して常時録画し、予め設定された一定時間が経過してもテレビジョン受信装置の受信チャンネルが元の第１チャンネルに戻らなかった場合には、その時点で常時録画のチャンネルをテレビジョン受信装置が受信している現在のチャンネルに切り換える構成としてもよい。ここで、前記一定時間は、１回のＣＭの連続放送時間より若干長い時間（例えば、３分等）に設定するものとする。また、ここで言う第１チャンネルとは、テレビジョン受信装置の電源をオンしたときの当該テレビジョン受信装置のその時点での受信チャンネルのことである。すなわち、前回、テレビジョン受信装置の電源をオフする直前に視聴していたチャンネルのことである。
【００１５】
すなわち、録画制御手段は、常時録画中、テレビジョン受信装置の受信チャンネルが現在受信中の第１チャンネルから他のチャンネルに切り換わったことを示す情報をＣＥＣ線を介して取得すると、現在の受信中の第１チャンネルの受信データがＣＭデータであるか否かを判断する。この場合、情報記録再生装置は、自らのチューナによって放送データを受信しているので、テレビジョン受信装置側のチャンネルが切り換わっても、切り換わる前の元の第１チャンネルの放送データを受信してＣＭデータの有無を判断することが可能である。
【００１６】
その結果、第１チャンネルの放送データがＣＭデータである場合には、テレビジョン受信装置のチャンネル切り換えに追随することなく、それまでの第１チャンネルの受信データを継続して常時録画を継続する。このとき、録画制御手段は、タイマー部を起動して、ＣＭの放送時間より若干長い時間である一定時間の計測を開始する。そして、一定時間が経過してもテレビジョン受信装置の受信チャンネルが元の第１チャンネルに戻らなかった場合には、その時点で常時録画のチャンネルをテレビジョン受信装置が受信している現在のチャンネルに切り換える。
【００１７】
一方、一定時間が経過する前にテレビジョン受信装置の受信チャンネルが元の第１チャンネルに戻ったことを示す情報をＣＥＣ線を介して取得した場合には、そのままのチャンネルで常時録画を継続する。すなわち、この場合には、ほんの数分間、テレビジョン受信装置のチャンネルが元の第１チャンネルから他のチャンネルに切り換えられたとしても、情報記録再生装置は、元の第１チャンネルの放送データを継続して常時録画している。従って、ユーザがテレビジョン受信装置のチャンネルを元の第１チャンネルに戻したとき、すでにＣＭが終了して番組の続きが始まっていた場合であっても、情報記録再生装置を巻き戻し再生することによって、その見逃したＣＭ終了直後の番組の続きから視聴することが可能となる。
【００１８】
また、本発明の情報記録再生装置によれば、録画制御手段は、常時録画中、テレビジョン受信装置の受信チャンネルが第１チャンネルから他のチャンネルに切り換わったときの当該第１チャンネルの受信データがＣＭデータである場合には、テレビジョン受信装置のチャンネル切り換えに追随することなくそれまでの第１チャンネルの受信データを継続して常時録画し、ＣＭデータの受信終了後、予め設定された一定時間が経過してもテレビジョン受信装置の受信チャンネルが第１チャンネルに戻らなかった場合には、その時点で常時録画のチャンネルをテレビジョン受信装置が受信しているチャンネルに切り換える構成としてもよい。ここで、前記一定時間は、例えば３０秒〜１分等とする。このように、ＣＭの終了をトリガとして一定時間を計測することで、ＣＭデータの放送時間の長短に関係なく、ＣＭ終了後、常に同じ時間経過時点で常時録画のチャンネル切り換えの有無を判断することができる。
【発明の効果】
【００１９】
本発明の情報記録再生装置によれば、テレビジョン受信装置の外部接続端子に外付けされているにも関わらず、テレビジョン受信装置の電源オンをトリガとして常時録画及び常時タイムシフトを開始することができる。
【００２０】
また、本発明の情報記録再生装置によれば、常時録画中、テレビジョン受信装置の受信チャンネルが第１チャンネルから他のチャンネルに切り換わったときの当該第１チャンネルの受信データがＣＭデータである場合には、テレビジョン受信装置のチャンネル切り換えに追随することなくそれまでの第１チャンネルの受信データを継続して常時録画し、予め設定された一定時間が経過してもテレビジョン受信装置の受信チャンネルが元の第１チャンネルに戻らなかった場合に、その時点で常時録画のチャンネルをテレビジョン受信装置が受信している現在のチャンネルに切り換える構成としたので、ユーザがテレビジョン受信装置のチャンネルを元の第１チャンネルに戻したとき、すでにＣＭが終了して番組の続きが始まっていた場合であっても、情報記録再生装置を巻き戻し再生することによって、その見逃したＣＭ終了直後の番組の続きから視聴することができるものである。これにより、ユーザの使い勝手を考慮した常時録画及び常時タイムシフトを実現することができる。
【発明を実施するための最良の形態】
【００２１】
以下、本発明の実施の形態について、図面を参照して説明する。
【００２２】
図１は、本発明の情報記録再生装置をハードディスク（ＨＤ）内蔵型ＤＶＤレコーダに適用した場合の電気的構成を示す機能ブロック図である。ただし、本発明の情報再生装置は、単なるＨＤレコーダにも適用可能である。
【００２３】
本実施形態のＨＤ内蔵型ＤＶＤレコーダは、制御部１、番組等のデジタル信号（放送データ）を受信するアンテナ２に接続されたチューナ３、信号処理部４、外部記録媒体であるＤＶＤ（Digital Versatile Disk）２０の着脱が可能なディスク読書部５、リモコン１５からのコントロール信号を受信するリモコン受信部６、表示部７、操作部８、内蔵の記録媒体であるハードディスク（ＨＤ）９、記憶部１１からなり、ＨＤＭＩ規格に準拠したデジタルビデオ信号の入出力端子であるＨＤＭＩ端子４ａを備え、ＨＤＭＩ規格に準拠したテレビジョン受信装置３０のＨＤＭＩ端子３０ａとＨＤＭＩケーブル４０を介して接続可能な構成となっている。また、本実施形態のＨＤＤ内蔵型ＤＶＤレコーダは、テレビジョン受信装置３０とＨＤＭＩケーブル４０を介して接続した状態で、映像及び音声の設定や映像コンテンツの違法コピーを保護するＨＤＣＰ認証などを行う構成となっている。
【００２４】
制御部１は、ＣＰＵ１ａ、メモリ部１ｂ、及びタイマー部１ｃから構成されている。メモリ部１ｂは、本コレーダの各種動作プログラムが格納されたＲＯＭ、動作時には種々のデータの一時保存やワークエリアとして働くＲＡＭ等からなる。また、ＲＯＭには、本レコーダがＨＤＭＩケーブル４０を介してテレビジョン受信装置３０と接続された場合に、テレビジョン受信装置３０との接続設定（映像及び音声の設定やＨＤＣＰ認証等）を行うための処理プログラムや、後述する常時録画を実行するための処理プログラムも格納されている。タイマー部１ｃは、後述する一定時間の計測を行う。
【００２５】
チューナ３は、アンテナ２で受信した放送信号から映像を含んだデジタル信号を抽出する。信号処理部４は、デジタルの信号処理回路から構成されている。この信号処理部４は、チューナ３から入力されるデジタル信号をテレビジョン受信装置３０に出力したり、ディスク読書部５や制御部１に出力する。
【００２６】
ディスク読書部５は、ピックアップやピックアップ駆動回路やディスク駆動回路等から構成されている。このディスク読書部５は、信号処理部４から出力されるデータをＤＶＤ２０に記録したり、ＤＶＤ２０に記録されているデータを読み込んで信号処理部４に出力したりする。信号処理部４は、ディスク読書部５から出力されるＤＶＤ２０のデータを再生してテレビジョン受信装置３０に出力する。また、信号処理部４は、ＯＳＤ回路を備えており、制御部１からの制御により、テレビジョン受信装置３０のモニタにメニュー画面等の表示を行うようになっている。テレビジョン受信装置３０は信号処理部４から出力されるデジタル信号に基づいてＣＲＴ等のモニタに映像を映し出し、スピーカから音声を出力する。
【００２７】
表示部７は、現在時刻を含む各種時間や本レコーダの動作状態等を表示するものであり、ＦＬＤ（蛍光表示管）やＬＥＤランプ等を備えている。操作部８は、本レコーダ本体の前面等に設けられたボタンやスイッチ等を備えた操作パネル部である。記憶部１１は、ＥＥＰＲＯＭやフラッシュメモリ等の不揮発性メモリからなる。
【００２８】
リモコン１５と操作部８には、図示は省略しているが、再生、録画、早送り、巻戻し、及び停止といった本レコーダ１００の動作を指示するために操作するキーが設けられている。また、録画予約（タイマー録画）を設定するための録画キー等も設けられている。
【００２９】
制御部１は、例えばリモコン１５の電源キーがオンされ、記録媒体として例えば内蔵のハードディスク９が選択されて、録画キーが操作されると、外部からアンテナ２とチューナ３を通じて入力され、信号処理部４で圧縮処理された番組情報のデータを、ハードディスク９に記録する。このとき、同時再生（すなわち、テレビジョン受信装置３０での視聴）が選択されている場合には、記録と同時に再生し、再生したデータを信号処理部４によって処理した後、テレビジョン受信装置３０に出力する常時タイムシフト機能を実行する。これにより、録画中のテレビ番組がテレビジョン受信装置３０のモニタに映像として映し出され、スピーカから音声として出力される。また、制御部１は、リモコン１５の録画キーが操作されたり、予め設定された録画予約の録画開始時刻になると、チューナ３によって受信され、信号処理部４で圧縮処理された番組情報のデータを、ハードディスク９に記録して保存する。
【００３０】
さらに、制御部１は、テレビジョン受信装置３０の電源がオンされたことを検出すると本レコーダの電源をオンして常時録画を開始し、この常時録画中、テレビジョン受信装置３０の受信チャンネルが第１チャンネル（すなわち、テレビジョン受信装置３０の電源オン時のチャンネル）から他のチャンネルに切り換わった場合にはこれに合わせて録画チャンネルを切り換えて常時録画を継続し、テレビジョン受信装置の電源がオフされたことを検出すると本レコーダの電源をオフする常時録画機能を実行するが、この常時録画機能の実行時において、ユーザの利便性を考慮した新たな常時録画機能を実行する。以下、この常時録画機能の処理動作の各種実施例について具体的に説明する。
【００３１】
＜実施例１＞
本実施例１は、ＨＤＭＩ規格のＣＥＣ制御機能を利用した常時録画の基本処理動作の実施例である。以下、図２に示すフローチャートを参照して本実施例１の常時録画の基本処理動作を説明する。
【００３２】
ＨＤＭＩ規格のＣＥＣ制御機能では、ＨＤＭＩケーブル４０のＣＥＣ線を利用して各種制御データの送受信が可能であり、本レコーダは、このＣＥＣ線を利用してテレビジョン受信装置３０の電源オン、オフやチャンネル切り換え等の情報を取得することが可能である。
【００３３】
すなわち、本レコーダの制御部１は、電源オフ状態において、信号処理部４のＨＤＭＩ端子４ａの入力を監視する監視モードを実行している（ステップＳ１）。この状態において、テレビジョン受信装置３０の電源がオンされると（ステップＳ１でＹｅｓと判断されると）、この電源オンを示す情報（ＣＥＣコマンド）をＨＤＭＩケーブル４０を介して取得し、テレビジョン受信装置３０の電源オンに連動して本レコーダの電源をオンにする（ステップＳ２）。そして、ＨＤＭＩケーブル４０を介してテレビジョン受信装置３０の選局中のチャンネル、すなわち受信チャンネルである第１チャンネルの情報を取得すると（ステップＳ３）、その取得した第１チャンネルに本レコーダのチューナ３を同調させて常時録画を開始する（ステップＳ４）。
【００３４】
そして、この常時録画中に、テレビジョン受信装置３０の受信チャンネルが受信中の第１チャンネルから他のチャンネルに切り換わったか否か（ステップＳ５）、及びテレビジョン受信装置３０の電源がオフされたか否か（ステップＳ６）を監視する。その結果、テレビジョン受信装置３０の受信チャンネルが受信中の第１チャンネルから他のチャンネルに切り換わった場合（ステップＳ５でＹｅｓと判断された場合）には、制御部１は、現在の録画を一旦停止し（ステップＳ７）、テレビジョン受信装置３０のチャンネル切り換えに追随して録画チャンネルを切り換えて（ステップＳ８）、常時録画を再び開始する（ステップＳ４）。制御部１は、常時録画中、テレビジョン受信装置３０の受信チャンネルが切り換わるたびにステップＳ７，ステップＳ８の処理を繰り返す。
【００３５】
そして、このような常時録画を行っているときに、テレビジョン受信装置３０の電源がオフされると（ステップＳ６でＹｅｓと判断されると）、制御部１は、この電源オフを示す情報（ＣＥＣコマンド）をＨＤＭＩケーブル４０を介して取得し、テレビジョン受信装置３０の電源オフに連動して常時録画を終了し、本レコーダの電源をオフにする（ステップＳ９）。
【００３６】
このように、本実施例１によれば、本レコーダがテレビジョン受信装置３０の外部接続端子であるＨＤＭＩ端子３０ａに外付けされているにも関わらず、テレビジョン受信装置３０の電源オンをトリガとして常時録画及び常時タイムシフトを開始することが可能となっている。
【００３７】
＜実施例２＞
本実施例２は、常時録画中、テレビジョン受信装置３０の受信チャンネルが第１チャンネルから他のチャンネルに切り換わったときの当該第１チャンネルの受信データがＣＭデータである場合には、テレビジョン受信装置３０のチャンネル切り換えに追随することなくそれまでの第１チャンネルの受信データを継続して常時録画する実施例である。以下、図３に示すフローチャートを参照して本実施例２の常時録画処理動作を説明する。
【００３８】
すなわち、本レコーダの制御部１は、電源オフ状態において、信号処理部４のＨＤＭＩ端子４ａの入力を監視する監視モードを実行している（ステップＳ１１）。この状態において、テレビジョン受信装置３０の電源がオンされると（ステップＳ１１でＹｅｓと判断されると）、この電源オンを示す情報（ＣＥＣコマンド）をＨＤＭＩケーブル４０を介して取得し、テレビジョン受信装置３０の電源オンに連動して本レコーダの電源をオンにする（ステップＳ１２）。そして、ＨＤＭＩケーブル４０を介してテレビジョン受信装置３０の選局中のチャンネル、すなわち受信チャンネルである第１チャンネルの情報を取得すると（ステップＳ１３）、その取得した第１チャンネルに本レコーダのチューナ３を同調させて常時録画を開始する（ステップＳ１４）。
【００３９】
そして、この常時録画中に、テレビジョン受信装置３０の受信チャンネルが受信中の第１チャンネルから他のチャンネルに切り換わったか否か（ステップＳ１５）、及びテレビジョン受信装置３０の電源がオフされたか否か（ステップＳ１６）を監視する。その結果、テレビジョン受信装置３０の受信チャンネルが受信中の第１チャンネルから他のチャンネルに切り換わった場合（ステップＳ１５でＹｅｓと判断された場合）には、制御部１は、まず、チューナ３で受信中の第１チャンネルの受信データがＣＭデータであるか否かを判断する（ステップＳ１７）。その結果、ＣＭデータでなかった場合（ステップＳ１７でＮｏと判断された場合）には、現在の録画を一旦停止し（ステップＳ１８）、テレビジョン受信装置３０のチャンネル切り換えに追随して録画チャンネルを切り換えて（ステップＳ１９）、常時録画を再び開始する（ステップＳ１４）。
【００４０】
一方、チューナ３で受信中の第１チャンネルの受信データがＣＭデータであった場合（ステップＳ１７でＹｅｓと判断された場合）には、制御部１は、それまでの第１チャンネルの録画を継続しつつ、タイマー部１ｃによって一定時間の計測を開始する（ステップＳ２０）。そして、計測時間が予め設定されている一定時間（例えば、３分等）を経過したか否か（ステップＳ２１）、及びその一定時間内にテレビジョン受信装置３０の受信チャンネルが元の第１チャンネルに戻ったか否か（ステップＳ２２）を監視する。
【００４１】
その結果、テレビジョン受信装置３０のチャンネルが元の第１チャンネルに戻っている場合（ステップＳ２１でＮｏ、ステップＳ２２でＹｅｓと判断された場合）には、そのまま録画を継続して（ステップＳ２３）、ステップＳ１５に戻る。
【００４２】
一方、テレビジョン受信装置３０の受信チャンネルが一定時間経過しても元の第１チャンネルに戻らなかった場合（ステップＳ２１でＹｅｓと判断された場合）、制御部１は、その時点で現在の録画を一旦停止し（ステップＳ１８）、テレビジョン受信装置３０のチャンネル切り換えに追随して録画チャンネルを切り換えて（ステップＳ１９）、常時録画を再び開始する（ステップＳ１４）。
【００４３】
制御部１は、常時録画中、テレビジョン受信装置３０の受信チャンネルが切り換わるたびにステップＳ１７〜ステップＳ２３の処理を繰り返す。
【００４４】
そして、このような常時録画を行っているときに、テレビジョン受信装置３０の電源がオフされると（ステップＳ１６でＹｅｓと判断されると）、制御部１は、この電源オフを示す情報（ＣＥＣコマンド）をＨＤＭＩケーブル４０を介して取得し、テレビジョン受信装置３０の電源オフに連動して常時録画を終了し、本レコーダの電源をオフにする（ステップＳ２４）。
【００４５】
このように、本実施例２によれば、ほんの数分間、テレビジョン受信装置３０のチャンネルが元の第１チャンネルから他のチャンネルに切り換えられたとしても、元の第１チャンネルの放送データを引き続き常時録画している。従って、ユーザがテレビジョン受信装置３０のチャンネルを元の第１チャンネルに戻したとき、すでにＣＭが終了して番組の続きが始まっていた場合であっても、本レコーダを巻き戻し再生することによって、その見逃したＣＭ終了直後の番組の続きから視聴することが可能となる。
【００４６】
＜実施例３＞
本実施例３は、常時録画中、テレビジョン受信装置３０の受信チャンネルが第１チャンネルから他のチャンネルに切り換わったときの当該第１チャンネルの受信データがＣＭデータである場合には、テレビジョン受信装置３０のチャンネル切り換えに追随することなくそれまでの第１チャンネルの受信データを継続して常時録画する他の実施例である。以下、図４に示すフローチャートを参照して本実施例３の常時録画処理動作を説明する。
【００４７】
すなわち、本レコーダの制御部１は、電源オフ状態において、信号処理部４のＨＤＭＩ端子４ａの入力を監視する監視モードを実行している（ステップＳ３１）。この状態において、テレビジョン受信装置３０の電源がオンされると（ステップＳ３１でＹｅｓと判断されると）、この電源オンを示す情報（ＣＥＣコマンド）をＨＤＭＩケーブル４０を介して取得し、テレビジョン受信装置３０の電源オンに連動して本レコーダの電源をオンにする（ステップＳ３２）。そして、ＨＤＭＩケーブル４０を介してテレビジョン受信装置３０の選局中のチャンネル、すなわち受信チャンネルである第１チャンネルの情報を取得すると（ステップＳ３３）、その取得した第１チャンネルに本レコーダのチューナ３を同調させて常時録画を開始する（ステップＳ３４）。
【００４８】
そして、この常時録画中に、テレビジョン受信装置３０の受信チャンネルが受信中の第１チャンネルから他のチャンネルに切り換わったか否か（ステップＳ３５）、及びテレビジョン受信装置３０の電源がオフされたか否か（ステップＳ３６）を監視する。その結果、テレビジョン受信装置３０の受信チャンネルが受信中の第１チャンネルから他のチャンネルに切り換わった場合（ステップＳ３５でＹｅｓと判断された場合）には、制御部１は、まず、チューナ３で受信中の第１チャンネルの受信データがＣＭデータであるか否かを判断する（ステップＳ３７）。その結果、ＣＭデータでなかった場合（ステップＳ３７でＮｏと判断された場合）には、現在の録画を一旦停止し（ステップＳ３８）、テレビジョン受信装置３０のチャンネル切り換えに追随して録画チャンネルを切り換えて（ステップＳ３９）、常時録画を再び開始する（ステップＳ３４）。
【００４９】
一方、チューナ３で受信中の第１チャンネルの受信データがＣＭデータであった場合（ステップＳ３７でＹｅｓと判断された場合）には、制御部１は、それまでの第１チャンネルの録画を継続しつつ、受信データがＣＭデータから元の番組データに戻ったか否か、すなわち、ＣＭデータの放送が終了したか否かを監視する（ステップＳ４０）。そして、受信データがＣＭデータから元の番組データに戻ったことを確認すると（ステップＳ４０でＹｅｓと判断されると）、制御部１は、その時点で、テレビジョン受信装置３０の受信チャンネルが元の第１チャンネルに戻ったか否かを確認する（ステップＳ４１）。
【００５０】
その結果、元の第１チャンネルに戻っている場合（ステップＳ４１でＹｅｓと判断された場合）には、そのまま録画を継続して（ステップＳ４５）、ステップＳ３５に戻る。
【００５１】
一方、テレビジョン受信装置３０の受信チャンネルが元の第１チャンネルに戻っていなかった場合（ステップＳ４１でＮｏと判断された場合）には、制御部１は、その時点で、タイマー部１ｃによって予め設定されている一定時間（例えば、１分等）の計測を開始するとともに（ステップＳ４２）、その計測時間が一定時間を経過するまでの間に、テレビジョン受信装置３０の受信チャンネルが元の第１チャンネルに戻ったか否かを監視する（ステップＳ４３，ステップＳ４４）。その結果、一定時間が経過する前にテレビジョン受信装置３０の受信チャンネルが元の第１チャンネルに戻った場合（ステップＳ４４でＹｅｓと判断された場合）には、そのまま録画を継続して（ステップＳ４５）、ステップＳ３５に戻る。
【００５２】
一方、テレビジョン受信装置３０の受信チャンネルが一定時間経過しても元の第１チャンネルに戻らなかった場合（ステップＳ４３でＹｅｓと判断された場合）には、制御部１は、その時点で現在の録画を一旦停止し（ステップＳ３８）、テレビジョン受信装置３０のチャンネル切り換えに追随して録画チャンネルを切り換えて（ステップＳ３９）、常時録画を再び開始する（ステップＳ３４）。
【００５３】
制御部１は、常時録画中、テレビジョン受信装置３０の受信チャンネルが切り換わるたびにステップＳ３７〜ステップＳ４５の処理を繰り返す。
【００５４】
そして、このような常時録画を行っているときに、テレビジョン受信装置３０の電源がオフされると（ステップＳ３６でＹｅｓと判断されると）、制御部１は、この電源オフを示す情報（ＣＥＣコマンド）をＨＤＭＩケーブル４０を介して取得し、テレビジョン受信装置３０の電源オフに連動して常時録画を終了し、本レコーダの電源をオフにする（ステップＳ４６）。
【００５５】
このように、本実施例３によれば、ＣＭの終了をトリガとして一定時間を計測することで、ＣＭデータの放送時間の長短に関係なく、ＣＭ終了後、常に同じ時間経過時点で常時録画のチャンネル切り換えの有無を判断することができる。
【図面の簡単な説明】
【００５６】
【図１】本発明の情報記録再生装置をハードディスク（ＨＤ）内蔵型ＤＶＤレコーダに適用した場合の電気的構成を示す機能ブロック図である。
【図２】本発明の情報記録再生装置の常時録画の基本処理動作（実施例１）を説明するためのフローチャートである。
【図３】本発明の情報記録再生装置の実施例２の常時録画処理動作を説明するためのフローチャートである。
【図４】本発明の情報記録再生装置の実施例３の常時録画処理動作を説明するためのフローチャートである。
【符号の説明】
【００５７】
１  制御部
１ａ  ＣＰＵ
１ｂ  メモリ部
１ｃ  タイマー部
２  アンテナ
３  チューナ
４  信号処理部
４ａ  ＨＤＭＩ端子
５  ディスク読書部
６  リモコン受信部
７  表示部
８  操作部
９  ハードディスク（ＨＤ）
１１  記憶部
３０  テレビジョン受信装置
３０ａ  ＨＤＭＩ端子
４０  ＨＤＭＩケーブル
【図１】
2009044275.tif 000003
【図２】
2009044275.tif 000004
【図３】
2009044275.tif 000005
【図４】
2009044275.tif 000006